【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
コンピュータに、
第１のファイルの格納場所を示す情報を含む第２のファイルであって、当該第２のファイルを削除するときに当該情報が示す格納場所に格納されている前記第１のファイルを削除するか示す削除情報を含む第２のファイルを取得する取得ステップと、
前記取得ステップにおいて取得された第２のファイルの削除の命令を受けた場合に、当該第２のファイルに含まれる前記削除情報に従って、前記第１のファイルを削除するか判断する判断ステップと、
前記判断ステップにおいて前記第１のファイルを削除することが判断された場合に、前記第２のファイルに含まれる、当該第１のファイルの格納場所を示す情報に基づいて、当該第１のファイルと当該第２のファイルの削除を命令する削除命令ステップと、
を実行させることを特徴とするプログラム。
【請求項２】
前記削除命令ステップでは、前記判断ステップにおいて前記第１のファイルを削除しないと判断された場合であっても、前記第２のファイルの削除を命令することを特徴とする請求項１に記載のプログラム。
【請求項３】
前記第１のファイルを格納している装置と、前記第２のファイル格納している装置とが異なる場合に、前記第２のファイルは、前記第１のファイルを格納している装置を格納場所として示す情報を含み、前記削除命令ステップでは、当該情報に基づき、前記第１のファイルを格納している装置に当該第１のファイルの削除を命令することを特徴とする請求項１または２に記載のプログラム。
【請求項４】
前記削除命令ステップにおいて前記第１のファイルの削除を命令する前に、当該第１のファイルの削除を、当該第１のファイルを格納している装置に確認する確認ステップを有し、
前記削除命令ステップでは、当該装置から当該第１のファイルの削除の許可を受けた場合に、当該第１のファイルの削除を命令することを特徴とする請求項３に記載のプログラム。
【請求項５】
前記取得ステップにおいて複数の第２のファイルが取得され、また当該複数の第２のファイルのいずれかを削除するための命令を受けた場合に、前記判断ステップでは、前記複数の第２のファイルのうちの、削除の命令を受けた第２のファイルに含まれる削除情報と、前記複数の第２のファイルのうちの他のファイルに含まれる削除情報とに従って、前記第１のファイルを削除するか判断することを特徴とする請求項１乃至４のいずれか１項に記載のプログラム。
【請求項６】
前記第１のファイルと前記第２のファイルは、それぞれ画像データを含み、
前記第１のファイルに含まれる画像データの画素数は、前記第２のファイルに含まれる画像データの画素数よりも多いことを特徴とする請求項１乃至５のいずれか１項に記載のプログラム。
【請求項７】
コンピュータに、
第１のファイルの格納場所を示す情報を取得する取得ステップと、
前記取得ステップにおいて取得された情報を含む第２のファイルであって、当該第２のファイルを削除するときに当該情報が示す格納場所に格納されている前記第１のファイルを削除するか示す削除情報を含む第２のファイルを作成する作成ステップと、
を実行させることを特徴とするプログラム。
【請求項８】
前記第１のファイルは第１の画像データを含み、
前記作成ステップでは、前記第１の画像データよりも画素数の少ない第２の画像データを取得して、当該第２の画像データを含む第２のファイルを作成することを特徴とする請求項７に記載のプログラム。
【請求項９】
前記第１のファイルと前記第２のファイルとを互いに異なる装置に格納させることを特徴とする請求項７又は８に記載のプログラム。
【請求項１０】
第１のファイルの格納場所を示す情報を含む第２のファイルであって、当該第２のファイルを削除するときに当該情報が示す格納場所に格納されている前記第１のファイルを削除するか示す削除情報を含む第２のファイルを取得する取得手段と、
前記取得手段において取得された第２のファイルの削除の命令を受けた場合に、当該第２のファイルに含まれる前記削除情報に従って、前記第１のファイルを削除するか判断する判断手段と、
前記判断手段において前記第１のファイルを削除することが判断された場合に、前記第２のファイルに含まれる、当該第１のファイルの格納場所を示す情報に基づいて、当該第１のファイルと当該第２のファイルの削除を命令する削除命令手段と、
を有することを特徴とするファイル管理装置。
【請求項１１】
第１のファイルの格納場所を示す情報を取得する取得手段と、
前記取得手段において取得された情報を含む第２のファイルであって、当該第２のファイルを削除するときに当該情報が示す格納場所に格納されている前記第１のファイルを削除するか示す削除情報を含む第２のファイルを作成する作成手段と、
を有することを特徴とするファイル管理装置。
【請求項１２】
第１のファイルの格納場所を示す情報を含む第２のファイルであって、当該第２のファイルを削除するときに当該情報が示す格納場所に格納されている前記第１のファイルを削除するか示す削除情報を含む第２のファイルを取得する取得ステップと、
前記取得ステップにおいて取得された第２のファイルの削除の命令を受けた場合に、当該第２のファイルに含まれる前記削除情報に従って、前記第１のファイルを削除するか判断する判断ステップと、
前記判断ステップにおいて前記第１のファイルを削除することが判断された場合に、前記第２のファイルに含まれる、当該第１のファイルの格納場所を示す情報に基づいて、当該第１のファイルと当該第２のファイルの削除を命令する削除命令ステップと、
を有することを特徴とするファイル管理方法。
【請求項１３】
第１のファイルの格納場所を示す情報を取得する取得ステップと、
前記取得ステップにおいて取得された情報を含む第２のファイルであって、当該第２のファイルを削除するときに当該情報が示す格納場所に格納されている前記第１のファイルを削除するか示す削除情報を含む第２のファイルを作成する作成ステップと、
を有することを特徴とするファイル管理方法。
【手続補正２】
【補正対象書類名】明細書
【補正対象項目名】発明の名称
【補正方法】変更
【補正の内容】
【発明の名称】プログラム、ファイル管理装置及びファイル管理方法
【手続補正３】
【補正対象書類名】明細書
【補正対象項目名】０００１
【補正方法】変更
【補正の内容】
【０００１】
本発明は、互いに関連する複数のファイル間での処理の管理を行うに好適なプログラム、ファイル管理装置及びファイル管理方法に関する。
【手続補正４】
【補正対象書類名】明細書
【補正対象項目名】００１４
【補正方法】変更
【補正の内容】
【００１４】
本発明は、互いに関連する複数のファイルの削除の際の処理を円滑に行うことができるプログラム、ファイル管理装置及びファイル管理方法を提供することを目的とする。
【手続補正５】
【補正対象書類名】明細書
【補正対象項目名】００２０
【補正方法】変更
【補正の内容】
【００２０】
本発明に係る第１のプログラムは、コンピュータに、第１のファイルの格納場所を示す情報を含む第２のファイルであって、当該第２のファイルを削除するときに当該情報が示す格納場所に格納されている前記第１のファイルを削除するか示す削除情報を含む第２のファイルを取得する取得ステップと、前記取得ステップにおいて取得された第２のファイルの削除の命令を受けた場合に、当該第２のファイルに含まれる前記削除情報に従って、前記第１のファイルを削除するか判断する判断ステップと、前記判断ステップにおいて前記第１のファイルを削除することが判断された場合に、前記第２のファイルに含まれる、当該第１のファイルの格納場所を示す情報に基づいて、当該第１のファイルと当該第２のファイルの削除を命令する削除命令ステップと、を実行させることを特徴とする。
【手続補正６】
【補正対象書類名】明細書
【補正対象項目名】００２１
【補正方法】変更
【補正の内容】
【００２１】
本発明に係る第２のプログラムは、コンピュータに、第１のファイルの格納場所を示す情報を取得する取得ステップと、前記取得ステップにおいて取得された情報を含む第２のファイルであって、当該第２のファイルを削除するときに当該情報が示す格納場所に格納されている前記第１のファイルを削除するか示す削除情報を含む第２のファイルを作成する作成ステップと、を実行させることを特徴とする。
【手続補正７】
【補正対象書類名】明細書
【補正対象項目名】００２２
【補正方法】変更
【補正の内容】
【００２２】
本発明によれば、ファイルに、その派生元ファイルの削除に関する情報を示す削除タグが付されるので、ファイルの削除と派生元ファイルの削除とを関連付けることができる。このため、これらの削除の際の処理を円滑に行うことができる。